(57)【要約】【課題】鎌片の鎌先が受け穴の奥に移動して引き戸の施錠を行うことができる引き戸用錠について、不正解錠を行いにくいものを提供する。【解決手段】引き戸用錠１には、操作部材１３の周囲に設けられ、円筒状の操作部保護部材６５を有し、前記操作部保護部材６５は施錠状態で突出して、引き戸同士の隙間から不正解錠されることを防止する。【選択図】  図２
2004162407.tif 000002
【特許請求の範囲】
【請求項１】
引き戸に設けられ、鎌片と、鎌片の操作を行う操作部を有し、前記操作部の操作により前記鎌片の鎌先が別途設けられた受け穴の奥に移動して引き戸の施錠を行うことができる引き戸用錠において、受け穴側の引き戸に設けられた鍵部材を、操作部と係合しながら回転して操作部を回転することが可能であり、操作部付近には操作部保護部材が設けられ、前記操作部保護部材は施錠状態で突出して、引き戸用錠の設けられた引き戸と受け穴側の引き戸との隙間からの操作部の操作を防止することを特徴とする引き戸用錠。
【請求項２】
前記操作部保護部材は円筒状であり、操作部は操作部保護部材の内部で回転可能となっていることを特徴とする請求項１に記載の引き戸用錠。
【請求項３】
操作部の操作によってスライドするスライド部材が設けられ、操作部による鎌片の突出・退入はスライド部材を介して行われ、前記操作部保護部材は、スライド部材の動きに連動することを特徴とする請求項１又は２に記載の引き戸用錠。
【請求項４】
前記スライド部材は、鎌片の突出方向と垂直方向に移動可能であり、さらに操作部保護部材は突起が設けられ、スライド部材はスライド方向に対して傾斜する方向に、前記突起に係合可能なスリットが設けられていることを特徴とする請求項３に記載の引き戸用錠。
【発明の詳細な説明】
【０００１】
【発明の属する技術分野】
本発明は、引き戸の施錠に用いられる引き戸用錠に関するものである。
【０００２】
【従来の技術】
従来より、引き戸の施錠のため、引き戸用錠が用いられている。この引き戸用錠は、内外２枚の引き違いに設けられた引き戸に設けられ、引き戸を閉じた状態で引き戸が重なっている部分の、いわゆる召し合わせ部に設けられている。
【０００３】
例えば、図９に示されているような引き戸錠１００が用いられており、引き戸錠１００は内側の引き戸１１１に取り付けられている。そして、引き戸用錠１００には鎌片１０１が設けられ、引き戸用錠１００に設けられている操作部１０８を操作して鎌片１０１を回転させることができる。また、引き戸用錠１００の施錠は、引き戸１１０，１１１を閉じた状態で、鎌片１０１を突出させ、鎌片１０１の鎌先１０３を外側の引き戸１１０の受け穴１０２の奥に挿入して施錠する。この鎌片１０１を突出させるには、外側から所定の鍵を挿入して鍵を押す。すると、外側の引き戸１１０に設けられた鍵部材の係合部１０７と操作部１０８の角穴１０８ａが係合し、さらに回転させると操作部１０８が回転する。
なお、受け穴１０２は、引き戸１１０，１１１を閉じた状態で、引き戸用錠１００に対向する位置に設けられている。
【０００４】
そして、施錠の際には鎌片１０１は回転しながら突出して、鎌先１０３が受け穴１０２に進入する。施錠されると鎌片１０１の先端の鎌先１０３は受け穴１０２の奥に位置し、鎌先１０３は正面方向からみた開口１０５の投影部分よりも外側に位置する。そのため、内側の引き戸１１１と外側の引き戸１１０を引き離す方向に力を加えても、鎌片１０１の鎌先１０３が受け穴１０２の内面部分に当たるため外れることはない。
【０００５】
【発明が解決しようとする課題】
しかしながら、施錠状態で内側の引き戸１１１と外側の引き戸１１０の間に若干の隙間１１３ができる。この隙間１１３は、引き戸１１０，１１１の開閉のために必要なものである。また、引き戸１１０，１１１はその上下で戸枠やレールと係合しているため、引き戸同士を引っ張ると引き戸１１０，１１１が撓んで、引き戸錠１００が取り付けられる中央付近では、変形しやすく隙間１１３が大きくなりやすい。
そして、この隙間１１３から針金などの挿入可能な部材を挿入し、操作部１１８の角穴１０８ａに突っ込んで不正解錠されるおそれがあった。
【０００６】
そこで、本発明は、上記した不正解錠を行い難い引き戸用錠を提供することを課題とする。
【０００７】
【課題を解決するための手段】
上記した目的を達成するための請求項１に記載の発明は、引き戸に設けられ、鎌片と、鎌片の操作を行う操作部を有し、前記操作部の操作により前記鎌片の鎌先が別途設けられた受け穴の奥に移動して引き戸の施錠を行うことができる引き戸用錠において、受け穴側の引き戸に設けられた鍵部材を、操作部と係合しながら回転して操作部を回転することが可能であり、操作部付近には操作部保護部材が設けられ、前記操作部保護部材は施錠状態で突出して、引き戸用錠の設けられた引き戸と受け穴側の引き戸との隙間からの操作部の操作を防止することを特徴とする引き戸用錠である。
【０００８】
請求項１に記載の発明によれば、操作部の周囲には操作部保護部材が設けられ、前記操作部保護部材は施錠状態で突出して、引き戸用錠の設けられた引き戸と受け穴側の引き戸との隙間から操作部の操作を防止するので不正解錠されにくい。
【０００９】
請求項２に記載の発明は、前記操作部保護部材は円筒状であり、操作部は操作部保護部材の内部で回転可能となっていることを特徴とする請求項１に記載の引き戸用錠である。
【００１０】
請求項２に記載の発明によれば、操作部保護部材は円筒状であり、操作部は操作部保護部材の内部で回転可能となっているので、操作部の周囲を保護しつつ、操作部の回転を容易にすることができる。
【００１１】
請求項３に記載の発明は、操作部の操作によってスライドするスライド部材が設けられ、操作部による鎌片の突出・退入はスライド部材を介して行われ、前記操作部保護部材は、スライド部材の動きに連動することを特徴とする請求項１又は２に記載の引き戸用錠である。
【００１２】
請求項３に記載の発明によれば、操作部の操作によってスライドするスライド部材が設けられ、操作部による鎌片の突出・退入はスライド部材を介して行われ、前記操作部保護部材は、スライド部材の動きに連動するので、容易な構造により操作部保護部材の移動が可能となる。
【００１３】
請求項４に記載の発明は前記スライド部材は、鎌片の突出方向と垂直方向に移動可能であり、さらに操作部保護部材は突起が設けられ、スライド部材はスライド方向に対して傾斜する方向に、前記突起に係合可能なスリットが設けられていることを特徴とする請求項３に記載の引き戸用錠である。
【００１４】
請求項４に記載の発明によれば、鎌片の突出方向と垂直方向に移動可能であり、さらに操作部保護部材は突起が設けられ、スライド部材はスライド方向に対して傾斜する方向に、前記突起に係合可能なスリットが設けられているので、さらに容易な構造により鎌片移動部材の移動が可能となる。
【００１５】
【発明の実施の形態】
以下さらに本発明の具体的実施例について説明する。図１は、本発明の実施形態における引き戸用錠の解錠状態を示す斜視図である。図２は、本発明の実施形態における引き戸用錠の施錠状態を示す斜視図である。図３は、本発明の実施形態における引き戸用錠の分解斜視図である。図４は、本発明の実施形態における引き戸用錠の鎌片、スライド部材、操作部材及び操作部保護部材を示した斜視図である。図５は、本発明の実施形態における引き戸用錠の鎌片を示した斜視図である。図６〜図８は、本発明の実施形態における引き戸用錠の解錠状態から施錠状態を示す模式図である。
【００１６】
本発明の第１の実施形態である引き戸用錠１は、図１、図２、図３（ａ）、図３（ｂ）に示されている。図３（ａ）に示されるように、引き戸用錠１には、鎌片６、ケース部材１１、スライド部材１２、操作部材１３、押さえ部材１４、操作部保護部材６５及び連結用ロッド１６が設けられている。
【００１７】
引き戸用錠１は、従来技術の引き戸用錠１００と同様に、内外２枚の引き違いに設けられた引き戸１１０，１１１に設けられるものであり、操作部材１３を操作して鎌片６を回転させることができるものである。そして、引き戸１１０，１１１を閉めた状態、すなわち、召し合わせ部が一致した状態で、受け穴１０２に引き戸用錠１の鎌片６が突出・退入して施錠・解錠が行われる。
鎌片６が退入すると、解錠され、図１に示される状態となる。また、鎌片６が突出すると、施錠され、図２に示される状態となる。
【００１８】
図１に示されるように、ケース部材１１は、上下方向に細長く、フランジが設けられている箱状である。そして、図３（ｂ）に示すように、ケース部材１１は、板状のフランジ部材１１ａと、側面部３０を有する正面側部材１１ｂと、後方側部材１１ｃを有している。そして、フランジ部材１１ａ、正面側部材１１ｂ及び後方側部材１１ｃには貫通孔３２が設けられており、貫通孔３２に図示しないボルトを挿通して後述する連結用ロッド１６の雌ねじ部１６ａと連結して一体化することができる。側面部３０は正面側部材１１ｂの左右両側に設けられている。
また、図１、図２に示されるように、ケース部材１１の正面側には鎌片突出用開口２７と、操作部用開口２８が設けられている。鎌片突出用開口２７から鎌片６の突出が可能となっており、鎌片突出用開口２７の形状は、略長方形である。また、操作部用開口２８は略円形であり、操作部保護部材６５が突出可能となっている。また操作部用開口２８には内側に向くガイド用突起２８ａが設けられている。
【００１９】
ケース部材１１の正面側部材１１ｂに設けられる左右の側面部３０には、鎌片回転軸孔３３とガイド孔３５を有している。鎌片回転軸孔３３は円状の貫通孔であり、ガイド孔３５は円弧状の貫通孔である。
【００２０】
鎌片６は図５に示されるように鎌形をした板状であり、切り欠き部２５と、施錠時に引き戸同士を連結する部分である連結部１８と、鎌先２６を有している。鎌片６には、板面に垂直方向に貫通する貫通孔の軸孔２２及び長孔２３が設けられている。切り欠き部２５は鎌先２６と軸孔２２との間である。
【００２１】
スライド部材１２は、図４に示されるように、後面１２ａと２つの側面１２ｂ、１２ｃが設けられた断面略「コ」型であって、上下に細長い形状をしている。そして、スライド部材１２はケース部材１１の内部に位置している。
【００２２】
スライド部材１２の２つの側面１２ｂ、１２ｃには揺動軸棒収納切り欠き３８が設けられている。
スライド部材１２の側面１２ｃには図３（ａ）、図４に示されるように、梯子状に貫通孔が複数有するギア合わせ部４２が設けられており、ギア合わせ部４２と後述する１３のギア部４５とかみ合う。ギア合わせ部４２にはスライド部材１２の端部につながる挿入部４２ａを有して、ギア部４５を挿入しやすくしている。
また、スライド部材１２の側面１２ｂには、スリット６１が設けられている。スリット６１は、スライド部材１２のスライド方向である上下方向に対してやや傾斜しており、スリット６１の上側が正面側となるようにやや傾斜している。また、スリット６１は切り欠き状となって後述する操作部保護部材６５の突起６０の挿入をしやすくしている。
【００２３】
スライド部材１２の後面１２ａと２つの側面１２ｂ、１２ｃに囲まれる空間に、鎌片６、操作部材１３、押さえ部材１４及び操作部保護部材６５が配置されており、具体的には図４に示されている。
【００２４】
図３（ａ）に示されるように、引き戸用錠１には、回転軸棒３６と揺動軸棒３７が設けられている。そして、回転軸棒３６は鎌片６の軸孔２２とケース部材１１の鎌片回転軸孔３３とに連通するように挿通され、鎌片６は回転軸棒３６によってケース部材１１に回転可能に軸支されている。また、揺動軸棒３７は鎌片６の長孔２３とケース部材１１のガイド孔３５とに連通するように挿通されており、後述するように揺動軸棒３７が揺動すると鎌片６が回転する。揺動軸棒３７は、図４に示されるように、スライド部材１２の揺動軸棒収納切り欠き３８に位置しており、スライド部材１２が上下すると、それに伴って揺動軸棒３７も上下する。
【００２５】
操作部材１３は、図３（ａ）に示されるように、外周部分にギア部４５が設けられた円柱状の部材であり、軸の中心には角穴２０が設けられている。そして、角穴２０は、操作部用開口２８から外部に露出しており、外部から操作が可能である。具体的には、図９に示される従来技術の引き戸錠１００と同様に、外側の引き戸１１０に設けられる鍵部材の係合部１０７に所定の鍵を挿入し、鍵を押して鍵部材の係合部１０７の一部と角穴２０を係合させ、鍵を回して操作部材１３を回転させる。
操作部材１３は、ケース部材１１に固定されている押さえ部材１４によって保持されている。押さえ部材１４は、「コ」の字の両端を外側に曲げて製作されたクランク状の部材であり、固定用孔１４ａと中央孔１４ｂが設けられている。
【００２６】
操作部保護部材６５は図３（ａ）に示されるように円筒状であり、内部は操作部材１３の外径よりやや大きい。そして、操作部材１３は操作部保護部材６５の内部に位置して、回転可能となっている。また、外側には軸方向に平行な直線状の溝６３と、前記溝６３の端部付近に位置して外側に突出する突起６０が設けられている。
【００２７】
溝６３は、ケース部材１１の操作部用開口２８に設けられたガイド用突起２８ａと係合している。したがって、操作部保護部材６５は、ガイド用突起２８ａが溝６３に沿うように制限されて移動するので、操作部保護部材６５はケース部材１１に対して軸方向に平行移動する。また、突起６０は、スライド部材１２のスリット６１に係合している。
【００２８】
操作部保護部材６５は、操作部用開口２８より突出が可能となっており、施錠状態では突出状態となる。
【００２９】
連結用ロッド１６は、両端に雌ねじ部１６ａを有する棒状であり、一方の雌ねじ部１６ａは前記したようにケース部材１１の一体化に用いられ、他方の雌ねじ部１６ａは、内側の引き戸との固定に用いられる。
【００３０】
引き戸用錠１の組み立て方法は以下のように行われる。
まず、ケース部材１１の正面側部材１１ｂと後方側部材１１ｃを取り外した状態で鎌片６をケース部材１１に入れて取り付ける。具体的には、正面側部材１１ｂに鎌片６を入れ、鎌片６の軸孔２２及び鎌片回転軸孔３３に連通するように回転軸棒３６を挿通し、また、鎌片６の長孔２３及びガイド孔３５に連通するように揺動軸棒３７を挿通する。
そして、操作部材１３を操作部保護部材６５に挿通して操作部用開口２８に合わせるように配置して、押さえ部材１４で押さえる。このとき、ガイド用突起２８ａに溝６３が係合するようにする。
【００３１】
スライド部材１２を、スリット６１が操作部保護部材６５の突起６０と係合するようにして、前記の様に組み立てた鎌片６、操作部材１３、操作部保護部材６５及び押さえ部材１４を入れた状態の正面側部材１１ｂに挿入する。
このとき、操作部材１３のギア部４５をスライド部材１２の挿入部４２ａから挿入してギア部４５がギア合わせ部４２にかみ合うようにする。また、揺動軸棒３７がスライド部材１２の揺動軸棒収納切り欠き３８に嵌るように行う。
【００３２】
さらに、フランジ部材１１ａ、正面側部材１１ｂ及び後方側部材１１ｃの貫通孔３２に図示しないボルトを挿通して連結用ロッド１６の雌ねじ部１６ａと連結して一体化する。
【００３３】
そうして、引き戸用錠１が組み立てられると、操作部材１３とスライド部材１２が連動し、操作部材１３の回転によってスライド部材１２が上下する。そして、スライド部材１２の上下により、鎌片６が回転軸棒３６を軸として回転して鎌片突出用開口２７から突出・退入し、また、操作部用開口２８から操作部保護部材６５が突出・退入する。鎌片６の突出・退入に合わせて、操作部保護部材６５の突出・退入が行われる。
【００３４】
引き戸用錠１の動きについて図６〜図８を用いて説明する。図６〜図８は、引き戸用錠１の左側から見た図であり、鎌片６の回転方向を示す場合にはこれらの図を基準として説明する。
図６は、図１の状態のように引き戸用錠１の施錠状態を示したものであり、鎌片６が退入している状態である。この状態では、揺動軸棒３７がガイド孔３５の一番上側に位置しており、鎌片６はこれ以上に時計方向には回転しない。
突起６０はスリット６１の一番下側に位置している。そして、スリット６１は、上下方向に対して、スリット６１の上側が正面側となるようにやや傾斜していて、操作部保護部材６５は操作部用開口２８から退入した状態となっている。
【００３５】
次に、上記したように外部からの操作して、操作部材１３を回転させる。そうすると、ギア部４５とギア合わせ部４２がかみ合っているため、ギア部４５の回転により、スライド部材１２が移動する。本実施形態の場合には、正面側から見て時計回りに操作部材１３を回転させると、スライド部材１２が下側に移動する。この状態を示したのが図７である。
【００３６】
スライド部材１２の揺動軸棒収納切り欠き３８に揺動軸棒３７が収納されているので、揺動軸棒３７が押され、揺動軸棒３７がガイド孔３５に沿って下側に移動する。そして、図７の状態では、ガイド孔３５のほぼ中央付近に位置する。そして、揺動軸棒３７が長孔２３に挿通されているので、鎌片６が反時計回りに回転する。
また、スライド部材１２が下側に移動すると、スリット６１に係合している突起６０が正面側に移動し、操作部保護部材６５が突出する。すなわち、操作部保護部材６５は、ガイド用突起２８ａが溝６３に係合しているので前後方向にしか平行移動できず、またスリット６１は上下方向に対して上側が正面側となるようにやや傾斜しているので、スライド部材１２が下側に移動すると操作部用開口２８から正面側に突出する。そして、この操作部保護部材６５の突出する方向は、鎌片６の突出方向と同じ向きである。
【００３７】
さらに操作部材１３を回転すると、揺動軸棒３７がガイド孔３５の下端付近まで移動して、操作部保護部材６５の突起６０が、スライド部材１２のスリット６１の上側の端部付近となるような位置まで移動する。そして、図８に示されるように、鎌片６は約９０°回転し、操作部保護部材６５はさらに突出する。
【００３８】
そして鎌片６の切り欠き部２５に外側の引き戸１１０に設けられている受け穴の上端部１０５ａが位置し、鎌先２６が受け穴１０２の開口１０５から内部に入り込み、施錠状態となる。このとき、解錠状態から施錠状態への作動における操作部保護部材６５の先端は、外側の引き戸１１０付近に位置し、操作部材１３の角穴２０と隙間１１３との間を遮断し、より確実に不正解錠を防止する。
なお、鎌片６には、図示しないばねが設けられており、鎌片６が図７の状態を越えると、揺動軸棒３７がガイド孔３５の端部に向かう方向に付勢されているので、鎌片６は途中から小さな力で解錠又は施錠することができる。
【００３９】
本実施形態では、操作部保護部材６５が設けられているので、不正解錠しにくい。すなわち、操作部保護部材６５によって、施錠状態で隙間１１３から針金等を挿入しても、操作部材１３に接触することができないので、操作部材１３を回転させることができない。
【００４０】
施錠状態から解錠状態に至る動きは、上記した動きとは反対であり、操作部材１３を反時計回りに回転させ、鎌片６及び操作部保護部材６５を退入させる。
【００４１】
また上記の実施形態の構成を、直接スライド部材１２を移動させてスライド部材１２を移動させるように変更してもよい。例えば、ケース部材１１の後方側部材１１ｃに開口８０を設け、前記開口８０からスライド部材１２に連結する部材を設けることができる。
【００４２】
【発明の効果】
本発明によれば、操作部保護部材が設けられているので、不正解錠しにい引き戸用錠を提供することができる。
【図面の簡単な説明】
【図１】本発明の実施形態における引き戸用錠の解錠状態を示す斜視図である。
【図２】本発明の実施形態における引き戸用錠の施錠状態を示す斜視図である。
【図３】本発明の実施形態における引き戸用錠の分解斜視図であり、（ａ）は、全体を示した図であり、（ｂ）はケース部材の断面を示した図である。
【図４】本発明の実施形態における引き戸用錠の鎌片、スライド部材、操作部材及び操作部保護部材を示した斜視図である。
【図５】本発明の実施形態における引き戸用錠の鎌片を示した斜視図である。
【図６】本発明の実施形態における引き戸用錠の解錠状態を示す模式図である。
【図７】本発明の実施形態における引き戸用錠の解錠状態と施錠状態との間の状態を示す模式図である。
【図８】本発明の実施形態における引き戸用錠の施錠状態を示す模式図である。
【図９】従来技術の引き戸用錠の施錠状態を示す模式図であり、側面から見た断面図と正面図である。
【符号の説明】
１    引き戸用錠
６    鎌片
１２  スライド部材
１３  操作部材
２６  鎌先
６０  突起
６１  スリット
６５  操作部保護部材
１０２  受け穴
１１０，１１１  引き戸
【図１】
2004162407.tif 000003
【図２】
2004162407.tif 000004
【図３】
2004162407.tif 000005
【図４】
2004162407.tif 000006
【図５】
2004162407.tif 000007
【図６】
2004162407.tif 000008
【図７】
2004162407.tif 000009
【図８】
2004162407.tif 000010
【図９】
2004162407.tif 000011